(57)【要約】【課題】資材タンクと、農用資材を資材タンクから取り出して圃場に供給する取出し供給部と、が備えられ、資材タンクのタンク本体に蓋体が揺動開閉可能に支持された農用資材供給装置において、タンク本体に蓋体を楽に、迅速に取り付け得るようにする。【解決手段】タンク本体３１と蓋体３６を連結するヒンジ機構７０は、タンク本体３１に設けられた支持部７１の第１ピン穴７３と、蓋体３６に設けられた連結部７２の第２ピン穴７４とに挿入されるヒンジピン７５を備えている。ヒンジピン７５は、連結部７２を支持部７１に揺動可能に連結する連結ピン部７６よりも両端側の部分に形成され、連結ピン部７６の外径よりも大きい外径を備える抜止め鍔部７７を有している。一方の抜止め鍔部７７ａは、第１ピン穴７３及び第２ピン穴７４を通るとき、抜止め鍔部７７ａの外径が第１ピン穴７３及び第２ピン穴７４の穴径よりも小さくなるように弾性変形する。【選択図】図８
2020110118.tif 000002
【特許請求の範囲】
【請求項１】
圃場に供給する農用資材が貯留される資材タンクと、
前記資材タンクに接続されて、前記資材タンクから農用資材を取り出し、取り出した農用資材を圃場に供給する取出し供給部と、が備えられ、
前記資材タンクは、タンク本体と、前記タンク本体に開閉軸芯まわりに揺動可能に支持されて、前記タンク本体の資材投入口を開閉する蓋体と、前記タンク本体と前記蓋体とにわたって設けられ、前記蓋体を前記タンク本体に揺動可能に支持させるヒンジ機構と、を有し、
前記ヒンジ機構は、前記タンク本体に設けられるとともに第１ピン穴が形成された支持部と、前記蓋体に設けられるとともに第２ピン穴が形成された連結部と、前記第１ピン穴及び前記第２ピン穴に挿入されるとともに前記開閉軸芯を有し、前記連結部を前記支持部に揺動可能に連結するヒンジピンと、を有し、
前記ヒンジピンは、前記ヒンジピンの中間部に形成されるとともに前記第１ピン穴及び前記第２ピン穴に挿入されて、前記連結部を前記支持部に揺動可能に連結する連結ピン部と、前記ヒンジピンのうちの前記連結ピン部よりも両端側の部分に形成されるとともに前記連結ピン部の外径よりも大きい外径を備えて、前記第１ピン穴及び前記第２ピン穴からの前記ヒンジピンの抜け出しを阻止する抜止め鍔部と、を有し、
前記抜止め鍔部は、前記第１ピン穴及び前記第２ピン穴を通るとき、前記抜止め鍔部の外径が前記第１ピン穴の穴径及び前記第２ピン穴の穴径よりも小さくなるように弾性変形可能に構成されている農用資材供給装置。
【請求項２】
前記ヒンジピンのうちの前記抜止め鍔部に対応する部位を前記ヒンジピンの直径方向に通る貫通穴が備えられ、前記抜止め鍔部の前記弾性変形を前記貫通穴によって可能にされている請求項１に記載の農用資材供給装置。
【請求項３】
前記抜止め鍔部から前記ヒンジピンの端まで延びる状態で、かつ、前記端に至るほど小径になる状態で前記ヒンジピンの端部に形成されて、前記抜止め鍔部を前記第１ピン穴及び前記第２ピン穴に入るように案内するガイド部が備えられ、
前記貫通穴は、前記ガイド部に対応する部位まで延ばされている請求項２に記載の農用資材供給装置。
【請求項４】
前記両端側の抜止め鍔部のうちの一端側の抜止め鍔部のみが前記弾性変形可能に構成され、
前記両端側の抜止め鍔部のうちの他端側の抜止め鍔部が位置する側における前記ヒンジピンの端が平坦面状に形成されている請求項１から３のいずれか一項に記載の農用資材供給装置。
【請求項５】
前記支持部が一対備えられ、かつ、前記連結部が一対備えられ、
前記一対の支持部のうちの一方の支持部と前記一対の連結部のうちの前記一方の支持部に対応する一方の連結部とを有する第１連結対象部と、前記一対の支持部のうちの他方の支持部と前記一対の連結部のうちの前記他方の支持部に対応する他方の連結部とを有する第２連結対象部と、が備えられ、
前記第１連結対象部と前記第２連結対象部とに振り分けて前記第１連結対象部及び前記第２連結対象部に装着される第１連結ピン部分と第２連結ピン部分とが前記連結ピン部の一端側部分と他端側部分とに振り分けて備えられ、
前記貫通穴は、前記第１連結ピン部分及び前記第２連結ピン部分のうちの第１連結ピン部分のみに対応させて備えられている請求項２または３に記載の農用資材供給装置。
【請求項６】
前記ヒンジピンは、樹脂製である請求項１から５のいずれか一項に記載の農用資材供給装置。
【請求項７】
前記タンク本体は、農用資材が貯留される貯留部と、前記貯留部の下部から下向きに延ばされて前記取出し供給部に接続される筒状部と、を有し、
前記取出し供給部は、前記資材タンクから農用資材を取り入れる取出し供給ケースと、前記取出し供給ケースの上部に形成されて前記筒状部に内嵌される環状の接続部と、を有し、
前記筒状部が前記貯留部に一体形成されている請求項１から６のいずれか一項に記載の農用資材供給装置。
【請求項８】
前記筒状部の内面側に補強リブが形成されており、
前記補強リブの下部に、前記接続部に対して上方から当接する当り部が形成されている請求項７に記載の農用資材供給装置。
【発明の詳細な説明】
【技術分野】
【０００１】
本発明は、圃場に供給する農用資材が貯留される資材タンクと、前記資材タンクに接続されて、前記資材タンクから農用資材を取り出し、取り出した農用資材を圃場に供給する取出し供給部と、が備えられ、前記資材タンクは、タンク本体と、前記タンク本体に開閉軸芯まわりに揺動可能に支持されて、前記タンク本体の資材投入口を開閉する蓋体と、を有する農用資材供給装置に関する。
【背景技術】
【０００２】
上記した農用資材供給装置として、例えば特許文献１に示されるように、農用資材としての種籾を圃場に播種する直播装置、農用資材としての薬剤を圃場に供給する施薬装置、農用資材としての肥料を圃場に供給する施肥装置がある。直播装置では、種子タンクとしての種子貯留部と、種子貯留部から種子を繰り出し、繰り出した種子を圃場に播種する種子繰出部と、が備えられ、種子貯留部に、タンク本体としての種子ホッパと、種子ホッパに揺動可能に支持されて、種子ホッパの種子投入口としての種子補給口を開閉する蓋体と、が備えられている。施薬装置では、薬剤タンクとしての薬剤貯留部と、薬剤貯留部から薬剤を繰り出し、繰り出した薬剤を圃場に供給する薬剤繰出部と、が備えられ、薬剤貯留部に、タンク本体としての薬剤ホッパと、薬剤ホッパに揺動可能に支持されて、薬剤ホッパの薬剤投入口としての薬剤補給口を開閉する蓋体と、が備えられている。施肥装置では、肥料タンクとしての肥料貯留部と、肥料貯留部から肥料を繰り出し、繰り出した肥料を圃場に供給する肥料繰出部と、が備えられ、肥料貯留部に、タンク本体としての肥料ホッパと、肥料ホッパに揺動可能に支持されて、肥料ホッパの肥料投入口としての肥料補給口を開閉する蓋体と、が備えられている。
【０００３】
資材タンクは、タンク本体と、タンク本体に開閉軸芯まわりに揺動可能に支持されて、タンク本体の資材投入口を開閉する蓋体と、を有する農用資材供給装置では、タンク本体と蓋体とにわたって設けられ、蓋体をタンク本体に揺動可能に支持させるヒンジ機構が備えられる。そして、ヒンジ機構として、タンク本体に設けられる支持部と、蓋体に設けられる連結部と、連結部を支持部に揺動可能に連結するとともに開閉軸芯を有するヒンジピンと、を備えるものがある。従来、このようなヒンジ機構として、連結部及び支持部の一方がヒンジピンを握持するよう構成することにより、ヒンジピンの抜け止めを行わせるものがあった。
【先行技術文献】
【特許文献】
【０００４】
【特許文献１】特開２０１５−９７５０２号公報
【発明の概要】
【発明が解決しようとする課題】
【０００５】
従来の場合、蓋体をタンク本体に取付ける作業を行うのに、連結部及び支持部の一方の強い装着反力に抗してヒンジピンを連結部及び支持部に嵌め込まねばならず、工具が必要になり、かつ、強い嵌め込み力が必要になるので、手間が掛かる。
【０００６】
本発明は、タンク本体に対する蓋体の取付けを楽にかつ迅速にできる農用資材供給装置を提供する。
【課題を解決するための手段】
【０００７】
本発明による農用資材供給装置は、
圃場に供給する農用資材が貯留される資材タンクと、
前記資材タンクに接続されて、前記資材タンクから農用資材を取り出し、取り出した農用資材を圃場に供給する取出し供給部と、が備えられ、
前記資材タンクは、タンク本体と、前記タンク本体に開閉軸芯まわりに揺動可能に支持されて、前記タンク本体の資材投入口を開閉する蓋体と、前記タンク本体と前記蓋体とにわたって設けられ、前記蓋体を前記タンク本体に揺動可能に支持させるヒンジ機構と、を有し、
前記ヒンジ機構は、前記タンク本体に設けられるとともに第１ピン穴が形成された支持部と、前記蓋体に設けられるとともに第２ピン穴が形成された連結部と、前記第１ピン穴及び前記第２ピン穴に挿入されるとともに前記開閉軸芯を有し、前記連結部を前記支持部に揺動可能に連結するヒンジピンと、を有し、
前記ヒンジピンは、前記ヒンジピンの中間部に形成されるとともに前記第１ピン穴及び前記第２ピン穴に挿入されて、前記連結部を前記支持部に揺動可能に連結する連結ピン部と、前記ヒンジピンのうちの前記連結ピン部よりも両端側の部分に形成されるとともに前記連結ピン部の外径よりも大きい外径を備えて、前記第１ピン穴及び前記第２ピン穴からの前記ヒンジピンの抜け出しを阻止する抜止め鍔部と、を有し、
前記抜止め鍔部は、前記第１ピン穴及び前記第２ピン穴を通るとき、前記抜止め鍔部の外径が前記第１ピン穴の穴径及び前記第２ピン穴の穴径よりも小さくなるように弾性変形可能に構成されている。
【０００８】
本構成によると、支持部の第１ピン穴、及び、連結部の第２ピン穴にヒンジピンを挿入していくと、抜止め鍔部が第１ピン穴及び第２ピン穴を通るとき、抜止め鍔部に対する支持部及び連結部の押圧作用によって抜止め鍔部が縮径側に弾性変形されて抜止め鍔部の外径が第１ピン穴及び第２ピン穴の穴径よりも小さくなり、抜止め鍔部が第１ピン穴及び第２ピン穴を通り抜けて行く。抜止め鍔部が第１ピン穴及び第２ピン穴を通り抜けて支持部及び連結部に対して挿入方向下手側に位置すると、抜止め鍔部に対する支持部及び連結部の押圧がなくなって抜止め鍔部が弾性復元し、抜止め鍔部の外径が第１ピン穴及び第２ピン穴の外径よりも大きい元の大きさになり、ヒンジピンが先に第１ピン穴及び第２ピン穴に挿入された方向と反対方向に第１ピン穴及び第２ピン穴から抜け出ることが元の大きさの外径に弾性復元した抜け止め鍔部によって阻止される。
【０００９】
従って、ヒンジピンを第１ピン穴及び第２ピン穴に向けて押し操作するだけで楽にかつスムーズに、ヒンジピンを連結部と支持部とにわたって装着でき、かつ、ヒンジピンの連結部及び支持部からの抜け出しが両端側の抜止め鍔部によって阻止される状態になり、タンク本体に対する蓋体の取付けを楽にかつ迅速に行える。
【００１０】
本発明においては、前記ヒンジピンのうちの前記抜止め鍔部に対応する部位を前記ヒンジピンの直径方向に通る貫通穴が備えられ、前記抜止め鍔部の前記弾性変形を前記貫通穴によって可能にされていると好適である。
【００１１】
本構成によると、貫通穴を備えるだけの簡素な構造で抜止め鍔部の弾性変形が可能になるので、タンク本体に対する蓋体の取付けを楽にかつ迅速に行える農用資材供給装置を安価に得られる。
【００１２】
本発明においては、前記抜止め鍔部から前記ヒンジピンの端まで延びる状態で、かつ、前記端に至るほど小径になる状態で前記ヒンジピンの端部に形成されて、前記抜止め鍔部を前記第１ピン穴及び前記第２ピン穴に入るように案内するガイド部が備えられ、前記貫通穴は、前記ガイド部に対応する部位まで延ばされていると好適である。
【００１３】
本構成によると、ガイド部による案内によって抜止め鍔部を第１ピン穴及び第２ピン穴に挿入しやすいので、かつ、抜止め鍔部の縮径のために弾性変形するヒンジピン部分の範囲が広くなって抜止め鍔部を弾性変形させ易いので、ヒンジピンを第１ピン穴及び第２ピン穴により楽にかつスムーズに挿入できる。
【００１４】
本発明においては、前記両端側の抜止め鍔部のうちの一端側の抜止め鍔部のみが前記弾性変形可能に構成され、前記両端側の抜止め鍔部のうちの他端側の抜止め鍔部が位置する側における前記ヒンジピンの端が平坦面状に形成されていると好適である。
【００１５】
本構成によると、平坦面状の端を押し操作することにより、ヒンジピンを第１ピン穴及び第２ピン穴に挿入するための操作力をヒンジピンに付与し易いので、ヒンジピンを第１ピン穴及び第２ピン穴により楽にかつスムーズに挿入できる。
【００１６】
本発明においては、前記支持部が一対備えられ、かつ、前記連結部が一対備えられ、前記一対の支持部のうちの一方の支持部と前記一対の連結部のうちの前記一方の支持部に対応する一方の連結部とを有する第１連結対象部と、前記一対の支持部のうちの他方の支持部と前記一対の連結部のうちの前記他方の支持部に対応する他方の連結部とを有する第２連結対象部と、が備えられ、前記第１連結対象部と前記第２連結対象部とに振り分けて前記第１連結対象部及び前記第２連結対象部に装着される第１連結ピン部分と第２連結ピン部分とが前記連結ピン部の一端側部分と他端側部分とに振り分けて備えられ、前記貫通穴は、前記第１連結ピン部分及び前記第２連結ピン部分のうちの第１連結ピン部分のみに対応させて備えられていると好適である。
【００１７】
本構成によると、第１連結対象部及び第２連結対象部の一方における支持部と連結部とは、第２連結ピン部分に比して連結強度が貫通穴のために低い第１連結ピン部分によって連結されるが、第１連結対象部及び第２連結対象部の他方における支持部と連結部とは、第１連結ピン部分に比して連結強度が高い第２連結ピン部分によってしっかり連結されるので、貫通穴の作用によってヒンジピンを容易に装着できながら、蓋体をタンク本体にしっかり支持させることができる。
【００１８】
本発明においては、前記ヒンジピンは、樹脂製であると好適である。
【００１９】
本構成によると、ヒンジピンを樹脂材によって作製できるので、ヒンジピンを安価に得られる。
【００２０】
本発明においては、前記タンク本体は、農用資材が貯留される貯留部と、前記貯留部の下部から下向きに延ばされて前記取出し供給部に接続される筒状部と、を有し、前記取出し供給部は、前記資材タンクから農用資材を取り入れる取出し供給ケースと、前記取出し供給ケースの上部に形成されて前記筒状部に内嵌される環状の接続部と、を有し、前記筒状部が前記貯留部に一体形成されていると好適である。
【００２１】
本構成によると、タンク本体に筒状部を一体形成できるので、筒状部を備えるタンク本体を製作容易にかつ安価に得られる。
【００２２】
本発明においては、前記筒状部の内面側に補強リブが形成されており、前記補強リブの下部に、前記接続部に対して上方から当接する当り部が形成されていると好適である。
【００２３】
本構成によると、資材タンクの荷重を取出し供給ケースに受止め支持させる連結部材に補強リブを活用した簡素な構造の支持構造によって資材タンクを取出し供給ケースによってしっかり支持させることができる。
【図面の簡単な説明】
【００２４】
【図１】乗用型田植機の全体を示す左側面図である。
【図２】乗用型田植機の全体を示す平面図である。
【図３】農用資材供給装置を示す前面図である。
【図４】図３のＩＶ−ＩＶ断面矢視図である。
【図５】図３のＶ−Ｖ断面矢視図である。
【図６】図４のＶＩ−ＶＩ断面矢視図である。
【図７】図３のＶＩＩ−ＶＩＩ断面矢視図である。
【図８】ヒンジ機構を示す断面図である。
【図９】ヒンジ機構を示す斜視図である。
【図１０】ヒンジピンを示す斜視図である。
【発明を実施するための形態】
【００２５】
以下、本発明の一例である実施形態を図面に基づいて説明する。
なお、以下の説明では、乗用型田植機の走行機体に関し、図１，２に示される矢印Ｆの方向を「機体前方」、矢印Ｂの方向を「機体後方」、図１に示される矢印Ｕの方向を「機体上方」、矢印Ｄの方向を「機体下方」、図２に示される矢印Ｌの方向を「機体左方」、矢印Ｒの方向を「機体右方」とする。
【００２６】
図１，２に示されるように、乗用型田植機は、左右一対の前車輪１が操向可能かつ駆動可能に装備され、左右一対の後車輪２が駆動可能に装備された走行機体を備えている。走行機体の前部に、エンジン３を有する原動部４が形成されている。走行機体の後部に、運転座席５、及び、前車輪１を操向操作するステアリングホィール６を有する乗用型の運転部７が形成されている。走行機体の機体フレーム８の後部にリンク機構９を介して苗植付装置１０が連結されている。苗植付装置１０は、機体フレーム８に対するリンク機構９の上下揺動作動によって接地フロート１１が圃場面に接地した下降作業状態と、接地フロート１１が圃場面に対して上方に離れた上昇非作業状態とにわたって昇降操作される。走行機体の後部に、苗植付装置１０による植付苗に粉粒状の肥料を供給する施肥装置２０が設けられている。苗植付装置１０の後部に、除草用の粉粒状の薬剤を苗植付装置１０の後方で走行機体の横幅方向に散布する農用資材供給装置３０が設けられている。
【００２７】
〔苗植付装置の構成について〕
苗植付装置１０は、図１，２に示されるように、走行機体の横幅方向に間隔を空けて並ぶ４つの植付伝動ケース１２などによって構成された植付機体１３を備えている。４つの植付伝動ケース１２それぞれの後部の両横側部分に、苗植付機構１４が駆動可能に支持されている。植付機体１３の上方に、走行機体の横幅方向に並ぶ八つの苗載置部を有する一つの苗載台１５が設けられている。苗載台１５は、苗植付機構１４の苗植え運動に連動する状態で横方向に往復移送され、各苗載置部に載置されたマット状苗を苗載置部に対応する苗植付機構１４に対して左右方向に往復移送する。これにより、各苗植付機構１４の一対の植付アーム１４ａが交互に、苗載置部に載置されたマット状苗から植付け用苗を取り出し、取り出した植付け用苗を保持して圃場に下降して圃場に植え付ける。植付機体１３の下部に、走行機体の横幅方向に並べられ、下降作業状態の苗植付装置１０を支持し、かつ、圃場のうちの苗植付機構１４による苗植付け箇所を苗植付機構１４の苗植付けに先立って整地する五つの接地フロート１１が支持されている。苗植付装置１０は、走行機体の横幅方向に並ぶ八つの苗植付機構１４による苗植え付け、すなわち、八条植えの苗植え付けが可能になっている。
【００２８】
〔施肥装置の構成について〕
施肥装置２０は、図１、２に示されるように、走行機体の横幅方向に並べられた二つの肥料タンク２１と、各肥料タンク２１の下部に接続された肥料繰出し供給部２２と、肥料繰出し供給部２２に接続された送風ブロワ２３と、を備えている。二つの肥料タンク２１の一方の肥料タンク２１に接続された肥料繰出し供給部２２から四本の施肥ホース２４が苗植付装置１０に向けて延ばされ、二つの肥料タンク２１の他方の肥料タンク２１に接続された肥料繰出し供給部２２から四本の施肥ホース２４が苗植付装置１０に向けて延ばされている。八本の施肥ホース２４は、八つの苗植付機構１４それぞれの横側方に一つずつ設けられた計八つの施肥器２５に各別に接続されている。
【００２９】
施肥装置２０においては、二つの肥料タンク２１のそれぞれに接続された肥料繰出し供給部２２が肥料タンク２１から粉粒状の肥料を繰り出し、繰り出した肥料を送風ブロワ２３からの風によって四本の施肥ホース２４に供給する。各施肥器２５が苗植付機構１４による苗付け箇所の横側方で圃場に溝を形成し、形成した溝に施肥ホース２４によって供給された肥料を供給する。
【００３０】
〔農用資材供給装置の構成について〕
農用資材供給装置３０は、図１，２に示されるように、平面視で苗植付装置１０の左右方向での中央部に配置された状態で支持フレーム１６に支持されている。支持フレーム１６による農用資材供給装置３０の支持は、資材タンク３０Ａが上端側ほど前方に位置する前傾の傾斜姿勢になる状態で行われている。支持フレーム１６は、四つの植付伝動ケース１２のうち、苗植付装置１０の左右方向での中心を挟んで隣り合う植付伝動ケース１２から上向きに延ばされている。
【００３１】
農用資材供給装置３０は、図１，３に示されるように、粉粒状の薬剤が貯留される資材タンク３０Ａと、資材タンク３０Ａの下部に接続された取出し供給部３０Ｂと、を備えている。取出し供給部３０Ｂは、資材タンク３０Ａから薬剤を取り出し、取り出した薬剤を苗植付装置１０の後方で走行機体の左右方向に飛散させ、圃場のうちの苗植付装置１０の横方向での植付範囲に相当する部分に散布することにより、薬剤を圃場に供給する。
【００３２】
図５，６に示されるように、資材タンク３０Ａにおけるタンク本体３１に、農用資材が貯留される貯留部３１ｂと、貯留部３１ｂの下部から下向きに延ばされた筒状部３２とが備えられている。筒状部３２は、タンク本体３１を成形するとき、貯留部３１ｂに一体成形されている。タンク本体３１及び筒状部３２は、樹脂製である。図６に示されるように、筒状部３２の内面側に補強リブ３３が一体成形されている。補強リブ３３は、筒状部３２の周方向での複数箇所に設けられている。取出し供給部３０Ｂにおける取出し供給ケース４０の上部に環状の接続部４１が形成されている。接続部４１が筒状部３２に内嵌する状態で筒状部３２と接続部４１とを接続することにより、資材タンク３０Ａと取出し供給部３０Ｂとが接続されている。資材タンク３０Ａは、取出し供給ケース４０に対して上方に取り外し可能である。筒状部３２と接続部４１とが接続された状態において、各補強リブ３３の下部に形成されている当り部３３ａが接続部４１に対して上方から当接している。資材タンク３０Ａの荷重が取出し供給ケース４０によって補強リブ３３を介して下方から受け止め支持される。筒状部３２の両横側において、資材タンク３０Ａを取出し供給ケース４０に固定するパチン錠３４（図３参照）が筒状部３２と取出し供給ケース４０とにわたって設けられている。
【００３３】
〔取出し供給部の構成について〕
取出し供給部３０Ｂは、図３，４，５，６に示されるように、取出し供給ケース４０を備えている。取出し供給ケース４０は、図３，５に示されるように、取出し供給ケース４０の前部に取付けられた連結部材４２を介して支持フレーム１６に支持されている。
【００３４】
取出し供給ケース４０は、図３，４，５，６，７に示されるように、接続部４１を有する繰出し供給ケース部４３と、繰出し供給ケース部４３の下部に接続された原動機構ケース部４４と、原動機構ケース部４４の左側部に接続された左散布ケース部４６と、原動機構ケース部４４の右側部に接続された右散布ケース部４７と、を備えている。繰出し供給ケース部４３、原動機構ケース部４４、左散布ケース部４６及び右散布ケース部４７のそれぞれは、樹脂製である。
【００３５】
図４，５，６に示されるように、繰出し供給ケース部４３に、繰出し供給部材４８が収容されている。繰出し供給部材４８の上下向きの回転支軸４９が繰出し供給ケース部４３のボス部４３ａ、及び、金属支持部材５０としての板金部材が有するボス部５０ｂに回転可能に支持されている。繰出し供給部材４８は、回転支軸４９を揺動支点にして揺動可能な状態で金属支持部材５０に支持されている。金属支持部材５０は、原動機構ケース部４４の内部に設けられている。金属支持部材５０の前部の左右側部に下向きの折曲げ連結部５０ａが備えられている。左右の折曲げ連結部５０ａが原動機構ケース部４４の左右の横壁部５１ｄに連結されており、金属支持部材５０は、原動機構ケース部４４に支持されている。繰出し供給部材４８の遊端側部分に、一対の繰出し供給穴４８ａが開口されている。繰出し供給部材４８は、回転支軸４９に設けられた駆動ギヤ５２によって回転支軸４９を揺動支点して左右方向に往復揺動する状態で駆動され、一対の繰出し供給穴４８ａによってタンク本体３１の漏斗部３１ａから薬剤を繰り出す。一方の繰出し供給穴４８ａは、繰り出した薬剤を左散布ケース部４６の内部に連通する左供給穴５３に落下させて左散布ケース部４６の内部に供給する。他方の繰出し供給穴４８ａは、繰り出した薬剤を右散布ケース部４７の内部に連通する右供給穴５４に落下させて右散布ケース部４７の内部に供給する。図５，６に示される３８は、漏斗部３１ａの薬剤排出口を開閉するシャッターである。シャッター３８は、操作レバー３８ａの揺動作動によってスライド操作されて開閉する。
【００３６】
図６に示されるように、右散布ケース部４７の内部のうちの右供給穴５４の下方の箇所に右飛散部材５６が回転可能に収容されている。図６，７に示されるように、右散布ケース部４７の下部に右散布口４７ａが下向きに開口されている。右散布ケース部４７においては、繰出し供給部材４８によって右散布ケース部４７の内部に供給された薬剤が右飛散部材５６に供給されて右飛散部材５６によって右散布ケース部４７の内部に飛散される。飛散された薬剤が右散布ケース部４７の内部に形成された右案内部に当って右案内部によって案内され、右散布口４７ａから圃場のうち、苗植付装置１０の植付範囲の右側半部に対応する部分に散布される。
【００３７】
図６に示されるように、左散布ケース部４６の内部のうちの左供給穴５３の下方の箇所に左飛散部材５５が回転可能に収容されている。右散布ケース部４７と同様に、左散布ケース部４６の下部に左散布口４６ａが下向きに開口されている。左散布ケース部４６においては、繰出し供給部材４８によって左散布ケース部４６の内部に供給された薬剤が左飛散部材５５に供給されて左飛散部材５５によって左散布ケース部４６の内部に飛散される。飛散された薬剤が左散布ケース部４６の内部に形成された左案内部に当って左案内部によって案内され、左散布口４６ａから圃場のうち、苗植付装置１０の植付範囲の左側半部に対応する部分に散布される。
【００３８】
原動機構ケース部４４は、図４，５，６に示されるように、底壁部４４ａと、底壁部４４ａの後部における左端部分から上向きに突設された左区画壁５１ａと、底壁部４４ａの後部における右端部分から上向きに突設された右区画壁５１ｂと、底壁部４４ａのうちの左区画壁５１ａ及び右区画壁５１ｂよりも前側の部分における左右端部分から上向きに突設された横壁部５１ｄと、底壁部４４ａの前端部分から上向きに突設された前縦壁部５１ｃと、を備えている。底壁部４４ａ、左区画壁５１ａ、右区画壁５１ｂ、横壁部５１ｄ及び前縦壁部５１ｃによって囲われた空間Ｓに、繰出し供給部材４８、左飛散部材５５及び右飛散部材５６に向けて動力を出力する電気原動機構４５が収容されている。
【００３９】
電気原動機構４５は、空間Ｓのうちの前側部分に収容され、繰出し供給部材４８に向けて動力を出力する繰出し電動モータ５７と、空間Ｓのうちの後側部分に収容され、左飛散部材５５及び右飛散部材５６に向けて動力を出力する一つの飛散電動モータ５９と、を備えている。図４，５に示されるように、繰出し電動モータ５７は、金属支持部材５０の下面側に支持されている。繰出し電動モータ５７の出力軸５７ａの先端側部分が金属支持部材５０の開口から金属支持部材５０の上方に突出されている。出力軸５７ａの先端側部分に相対回転可能に設けられた出力ギヤ５８と、駆動ギヤ５２とが噛み合わされている。図４，５，６に示されるように、飛散電動モータ５９は、左区画壁５１ａ及び右区画壁５１ｂに支持されている。飛散電動モータ５９の左出力軸５９ａの先端側部分が左区画壁５１ａの開口を通して左散布ケース部４６の内部に挿入され、左出力軸５９ａの先端側部分に左飛散部材５５が相対回転不能に支持されている。飛散電動モータ５９の右出力軸５９ｂの先端側部分が右区画壁５１ｂの開口を通して右散布ケース部４７の内部に挿入され、右出力軸５９ｂの先端側部分に右飛散部材５６が相対回転不能に支持されている。
【００４０】
図６に示されるように、左区画壁５１ａは、底壁部４４ａから飛散電動モータ５９のモータ本体と左飛散部材５５との間に向けて立設されている。左散布ケース部４６の内部と、原動機構ケース部４４の内部とが左区画壁５１ａによって区画されている。右区画壁５１ｂは、底壁部４４ａから飛散電動モータ５９のモータ本体と右飛散部材５６との間に向けて立設されている。右散布ケース部４７の内部と、原動機構ケース部４４の内部とが右区画壁５１ｂによって区画されている。左散布ケース部４６や右散布ケース部４７の内部で塵埃が発生しても、塵埃が左区画壁５１ａや右区画壁５１ｂに当って飛散電動モータ５９に付着しにくい。
【００４１】
〔資材タンクの構成について〕
資材タンク３０Ａは、図１，３，５に示されるように、薬剤が貯留されるタンク本体３１と、タンク本体３１の上部に上向きに開口する状態で設けられた資材投入口３５を開閉する蓋体３６と、を備えている。図３，５に示されるように、蓋体３６とタンク本体３１とにわたり、蓋体３６をタンク本体３１に開閉軸芯Ｐまわりに揺動可能に支持させる左右一対のヒンジ機構７０が設けられている。蓋体３６は、走行機体の横幅方向に沿う方向の開閉軸芯Ｐまわりにタンク本体３１に対して上昇揺動して資材投入口３５を開く開姿勢と、開閉軸芯Ｐまわりにタンク本体３１に対して下降揺動して資材投入口３５を閉じる閉姿勢とにわたって上下揺動可能な状態でタンク本体３１に支持されている。本実施形態では、ヒンジ機構７０は、蓋体３６の前部とタンク本体３１の前部とにわたって設けられ、蓋体３６は、タンク本体３１に対してタンク本体３１の前側に開く前開き式になっているが、これに限らない。ヒンジ機構７０を蓋体３６の後部とタンク本体３１の後部とにわたって設け、蓋体３６をタンク本体３１に対してタンク本体３１の後側に開く後開き式に構成してもよい。また、ヒンジ機構７０を蓋体３６の横側部とタンク本体３１の横側部とにわたって設け、蓋体３６をタンク本体３１に対してタンク本体３１の横側に開く横開き式に構成してもよい。
【００４２】
〔ヒンジ機構の構成について〕
左右のヒンジ機構７０は、図８，９に示されるように、タンク本体３１に設けられた一対の支持部７１と、一対の支持部７１の両横外側に分かれて位置する状態で蓋体３６に設けられた一対の連結部７２と、各支持部７１に形成された第１ピン穴７３と各連結部７２に形成された第２ピン穴７４とにわたって挿入されたヒンジピン７５と、を有している。ヒンジピン７５は、開閉軸芯Ｐを有し、一対の連結部７２を一対の支持部７１に対して開閉軸芯Ｐまわり揺動可能に連結している。
【００４３】
ヒンジピン７５は、図８，９，１０に示されるように、ヒンジピン７５の中間部に形成されるとともに第１ピン穴７３及び第２ピン穴７４に挿入されて、連結部７２を支持部７１に揺動可能に連結する連結ピン部７６と、ヒンジピン７５のうちの連結ピン部７６よりも両端側の部分に形成された抜止め鍔部７７と、を備えている。両端側の抜止め鍔部７７のうちの一端側の抜止め鍔部７７ａの外径Ｄ２は、連結ピン部７６の外径Ｄ１よりも大きく、かつ、第１ピン穴７３及び第２ピン穴７４の穴径よりも大きく設定されている。両端側の抜止め鍔部７７のうちの他端側の抜止め鍔部７７ｂの外径Ｄ３は、連結ピン部７６の外径Ｄ１よりも大きく、かつ、第１ピン穴７３及び第２ピン穴７４の穴径よりも大きく設定されている。本実施形態では、他端側の抜止め鍔部７７ｂの外径Ｄ３は、一端側の抜止め鍔部７７ａの外径Ｄ２よりも大きく設定されているが、これに限らない。両端側の抜止め鍔部７７の外径を同じ大きさに設定してもよい。ヒンジピン７５の第１ピン穴７３及び第２ピン穴７４からの抜け出しが両端側の抜止め鍔部７７によって阻止される。すなわち、ヒンジピン７５が連結部７２及び支持部７１から抜け出そうとすると、両端側の抜止め鍔部７７のうちの抜け出し方向下手側の抜止め鍔部７７が連結部７２の側面に当接してヒンジピン７５の抜け出しを阻止する。
【００４４】
図８，９，１０に示されるように、ヒンジピン７５の一端部に、一端側の抜止め鍔部７７ａを第１ピン穴７３及び第２ピン穴７４に入るように案内するガイド部８０が備えられている。ガイド部８０は、一端側の抜止め鍔部７７ａからヒンジピン７５の端７９まで延びる状態で、かつ、端７９に至るほど外径が小径になる状態で備えられている。ヒンジピン７５のうちの一端側の抜止め鍔部７７ａに対応する部位に、この部位をヒンジピン７５の直径方向に通る貫通穴７８が備えられている。
【００４５】
連結ピン部７６に、第１連結ピン部分Ｘと第２連結ピン部分Ｙとが連結ピン部７６の一端側部分と他端側部分とに振り分けて備えられている。本実施形態では、第１連結ピン部分Ｘは、連結ピン部７６のうち、一端側の抜止め鍔部７７ａ及びガイド部８０と隣り合う方の端側部分に備えられている。第２連結ピン部分Ｙは、連結ピン部７６のうち、他端側の抜止め鍔部７７ａと隣り合う方の端側部分に備えられている。貫通穴７８は、第１連結ピン部分Ｘ及び第２連結ピン部分Ｙのうちの第１連結ピン部分Ｘのみに対応させて備えられている。貫通穴７８は、ガイド部８０に対応する部位まで延ばされている。
【００４６】
一対の支持部７１のうち、資材タンク３０Ａの横外側の方に位置する外側の支持部７１と、一対の連結部７２のうち、外側の支持部７１に対応する方の連結部７２と、を有する連結対象部を第１連結対象部Ｌ１とし、一対の支持部７１のうち、資材タンク３０Ａの横内側の方に位置する内側の支持部７１と、一対の連結部７２のうち、内側の支持部７１に対応する方の連結部７２と、を有する連結対象部を第２連結対象部Ｌ２とする。第１連結ピン部分Ｘ及び第２連結ピン部分Ｙは、第１連結対象部Ｌ１と第２連結対象部Ｌ２とに振り分けて、かつ、第１連結対象部Ｌ１と第２連結対象部Ｌ２とに入れ替えて第１連結対象部Ｌ１及び第２連結対象部Ｌ２に装着可能である。
【００４７】
すなわち、一対の支持部７１及び一対の連結部７２に対して資材タンク３０Ａの横外側の方からヒンジピン７５が装着される場合、第１連結ピン部分Ｘは、第２連結対象部Ｌ２に装着されて第２連結対象部Ｌ２における支持部７１と連結部７２とを連結し、第２連結ピン部分Ｙは、第１連結対象部Ｌ１に装着されて第１連結対象部Ｌ１における支持部７１と連結部７２とを連結する。一対の支持部７１及び一対の連結部７２に対して資材タンク３０Ａの横内側の方からヒンジピン７５が装着される場合、第１連結ピン部分Ｘは、第１連結対象部Ｌ１に装着されて第１連結対象部Ｌ１におけるの支持部７１と連結部７２とを連結し、第２連結ピン部分Ｙは、第２連結対象部Ｌ２に装着されて第２連結対象部Ｌ２における支持部７１と連結部７２とを連結する。
【００４８】
第１連結ピン部分Ｘは、連結ピン部７６の両端側部分のうちの一端側の抜止め鍔部７７ａが位置し、かつ、ガイド部８０が位置する方の端側部分に備えられ、第２連結ピン部分Ｙは、連結ピン部７６の両端側部分のうちの他端側の抜止め鍔部７７ｂが位置する方の端側部分に備えられている。貫通穴７８は、第１連結ピン部分Ｘ及び第２連結ピン部分Ｙのうちの第１連結ピン部分Ｘのみに対応させて備えられている。貫通穴７８は、ガイド部８０に対応する部位まで延びる状態で備えられている。
【００４９】
一端側の抜止め鍔部７７ａが第１ピン穴７３を通るとき、抜止め鍔部７７ａに対する支持部７１の押圧によって抜止め鍔部７７ａが縮径側に弾性変形されて抜止め鍔部７７ａの外径が第１ピン穴７３の穴径よりも小さくなることを貫通穴７８によって可能にされている。一端側の抜止め鍔部７７ａが第２ピン穴７４を通るとき、抜止め鍔部７７ａに対する連結部７２の押圧によって抜止め鍔部７７ａが縮径側に弾性変形されて抜止め鍔部７７ａの外径が第２ピン穴７４の穴径よりも小さくなることを貫通穴７８によって可能にされている。すなわち、一端側の抜止め鍔部７７ａが第１ピン穴７３を通るとき、支持部７１が抜止め鍔部７７ａを押圧し、一端側の抜止め鍔部７７ａが第２ピン穴７４を通るとき、連結部７２が抜止め鍔部７７ａを押圧する。すると、ヒンジピン７５のうちの貫通穴７８を有する部位Ｚのうちの他端側の抜止め鍔部７７ｂに近い側の部分を縮径変形の支点側の部分にして、かつ、部位Ｚのうちの抜止め鍔部７７ｂの側と反対側の端７９に近い側の部分を縮径変形の支点側の部分にして、部位Ｚが縮径変形（弾性変形）し、抜止め鍔部７７ａが縮径側に弾性変形する。
【００５０】
図９，１０に示されるように、ガイド部８０が位置する側と反対側の抜止め鍔部７７ｂが位置するヒンジピン７５の端８１は、平坦面に形成されている。連結ピン部７６のうちの貫通穴７８と抜止め鍔部７７ｂとの間の部分は、横断面形状が十字状になるように構成されている。ヒンジピン７５は、全体にわたって樹脂製である。
【００５１】
蓋体３６をタンク本体３１に取付ける際、ヒンジ機構７０を次の組み立て要領に基づいて組み立てる。
本実施形態では、第１連結ピン部分Ｘが第２連結対象部Ｌ２に装着され、第２連結ピン部分Ｙが第１連結対象部Ｌ１に装着されているが、第１連結ピン部分Ｘを第１連結対象部Ｌ１に装着し、第２連結ピン部分Ｙを第２連結対象部Ｌ２に装着してもよい。
すなわち、一対の支持部７１が一対の連結部７２の間に位置し、第１ピン穴７３の中心と第２ピン穴７４の中心とが合致する位置関係でタンク本体３１と蓋体３６とが位置するように、タンク本体３１に対する蓋体３６の位置調節を行う。第１ピン穴７３の中心と第２ピン穴７４の中心とが合致すると、ヒンジピン７５のガイド部８０の先端部を一対の連結部７２のうちの一方の連結部７２の第２ピン穴７４に入れる。ガイド部８０の先端部が第２ピン穴７４に入ると、平坦面の端８１を押し操作する。すると、一端側の抜止め鍔部７７ａがガイド部８０によって案内されて第２ピン穴７４に入り、連結部７２の押圧による抜止め鍔部７７ａの縮経操作によって抜止め鍔部７７ａの外径が第２ピン穴７４の穴径よりも小さくなって、抜止め鍔部７７ａが第２ピン穴７４を通り抜ける。抜止め鍔部７７ａが第２ピン穴７４を通り抜けると、抜止め鍔部７７ａがガイド部８０によって案内されて一方の支持部７１の第１ピン穴７３に入る。すると、支持部７１の押圧による抜止め鍔部７７ａの縮経操作によって抜止め鍔部７７ａの外径が第１ピン穴７３の穴径よりも小さくなって、抜止め鍔部７７ａが第１ピン穴７３を通り抜ける。さらに、平坦面の端８１を押し操作する。すると、ガイド部８０の先端部が他方の支持部７１の第１ピン穴７３に入り、抜止め鍔部７７ａがガイド部８０によって案内されて第１ピン穴７３に入り、支持部７１の押圧による抜止め鍔部７７ａの縮経操作によって抜止め鍔部７７ａの外径が第１ピン穴７３の穴径よりも小さくなって、抜止め鍔部７７ａが第１ピン穴７３を通り抜ける。抜止め鍔部７７ａが第１ピン穴７３を通り抜けると、次に、抜止め鍔部７７ａが他方の連結部７２の第２ピン穴７４に入る。すると、連結部７２の押圧による抜止め鍔部７７ａの縮経操作によって抜止め鍔部７７ａの外径が第２ピン穴７４の穴径よりも小さくなって、抜止め鍔部７７ａが第２ピン穴７４を通り抜ける。抜止め鍔部７７ａが第２ピン穴７４を通り抜けて他方の連結部７２の横外側に出る。抜止め鍔部７７ａが他方の連結部７２の横外側に出ると、抜止め鍔部７７ａの弾性復元によって抜止め鍔部７７ａの外径が初期の大きさになり、すなわち、連結ピン部７６の外径Ｄ１、第１ピン穴７３及び第２ピン穴７４の穴径よりも大きくなり、一対の連結部７２の両横外側に分かれて位置する両端側の抜止め鍔部７７によるに抜止め作用によってヒンジピン７５が一対の支持部７１及び一対の連結部７２から抜けなくなる。そして、連結ピン部７６が一対の連結部７２にわたって位置し、かつ、一対の支持部７１にわたって位置し、一対の連結部７２がヒンジピン７５によって一対の支持部７１に揺動可能に連結される。貫通穴７８が対応している第１連結ピン部分Ｘの強度は、貫通穴７８９が対応していない第２連結ピン部分Ｙの強度よりも低いが、第１連結対象部Ｌ１及び第２連結対象部Ｌ２のうち、第２連結ピン部分Ｙが装着される第１連結対象部Ｌ１または第２連結対象部Ｌ２における連結部７２と支持部７１とが第２連結ピン部分Ｙによってしっかり連結され、蓋体３６がタンク本体３１にしっかり支持される。。
【００５２】
本実施形態では、ヒンジピン７５は、タンク本体３１及び蓋体３６より脆弱に構成されている。タンク本体３１及び蓋体３６に無理な外力が加わったとき、ヒンジピン６５が破損し、タンク本体３１及び蓋体３６の破損が防止される。
本実施形態のヒンジピン７５は、樹脂製であるが、これに限らない。たとえば、ヒンジピンのうち、弾性変形可能な抜止め鍔部を有する部分をバネ板材によって構成したものであってもよい。本実施形態では、ヒンジピン７５は、連結ピン部７６のうちの貫通穴７８と抜止め鍔部７７ｂとの間に位置する部分の縦断面形状が十字状になるように、かつ、抜止め鍔部７７ｂの開閉軸芯Ｐに沿う方向での形状が円形になるように構成されているが、これに限らない。たとえば、連結ピン部７６の縦断面形状が円形、あるいは、四角形や六角形などの多角形であってもよい。また、抜止め鍔部７７ｂの開閉軸芯Ｐに沿う方向での形状が十字状、あるいは、四角形や六角形などの多角形であってもよい。
【００５３】
〔別実施形態〕
（１）上記した実施形態では、第１連結ピン部分Ｘ及び第２連結ピン部分Ｙは、第１連結対象部Ｌ１と第２連結対象部Ｌ２とに入れ替えて第１連結対象部Ｌ１及び第２連結対象部Ｌ２に対して装着可能に構成されているが、これに限らず、第１連結対象部Ｌ１と第２連結対象部Ｌ２とに入れ替えることができない状態で第１連結対象部Ｌ１及び第２連結対象部Ｌ２に装着されるものであってもよい。
【００５４】
（２）上記した実施形態では、ヒンジ機構７０が一対の連結部７２及び一対の支持部７１を備え、かつ、支持部７１が一対の連結部７２の間に入る例を示したが、これに限らない。たとえば、連結部７２が一対の支持部７１の間に入るものであってもよい。また、一対の連結部７２と、一対の連結部７２の間に入る単一の支持部を備えるものであってもよい。
【００５５】
（３）上記した実施形態では、両端側の抜止め鍔部７７のうちの一端側のみの抜止め鍔部７７ａが弾性変形可能である例を示したが、これに限らない。両端側の抜止め鍔部７７のいずれもが弾性変形可能であってもよい。ヒンジピン７５の両端部にガイド部８０を備えるものであってもよい。
【００５６】
（４）上記した実施形態では、農用資材供給装置３０が８条植え可能な乗用型田植機に装備された例を示したが、７条以下や９条以上の苗植えが可能な乗用型田植機に装備されるものであってもよい。
【００５７】
（５）上記実施形態では、農用資材供給装置３０が薬剤を供給するよう構成された例を示したが、これに限らない。たとえば、種子や肥料など、各種の農用資材を供給するものであってもよい。
【産業上の利用可能性】
【００５８】
本発明は、薬剤に限らず、種子や肥料など各種の農用資材を供給する農用資材供給装置に適用できる。
【符号の説明】
【００５９】
３０Ａ        資材タンク
３０Ｂ        取出し供給部
３１          タンク本体
３１ｂ        貯留部
３２          筒状部
３３          補強リブ
３３ａ        当り部
３５          資材投入口
３６          蓋体
４０          取出し供給ケース
４１          接続部
７０          ヒンジ機構
７１          支持部
７２          連結部
７３          第１ピン穴
７４          第２ピン穴
７５          ヒンジピン
７６          連結ピン部
７７          抜止め鍔部
７７ａ        一端側の抜止め鍔部
７９        端
８０        ガイド部
８１        端
Ｌ１        第１連結対象部
Ｌ２        第２連結対象部
Ｄ１        連結ピン部の外径
Ｄ２        抜止め鍔部の外径
Ｐ          開閉軸芯
Ｘ          第１連結ピン部分
Ｙ          第２連結ピン部分
【図１】
2020110118.tif 000003
【図２】
2020110118.tif 000004
【図３】
2020110118.tif 000005
【図４】
2020110118.tif 000006
【図５】
2020110118.tif 000007
【図６】
2020110118.tif 000008
【図７】
2020110118.tif 000009
【図８】
2020110118.tif 000010
【図９】
2020110118.tif 000011
【図１０】
2020110118.tif 000012